(57)【要約】【課題】立てて置いても棒状のピースがばらばらになることなく、室内を装飾する室内装飾機能に優れている組み立て式パズルを提供する。【解決手段】棒状のピース１〜１０をはめ込む収納体２０は棒状のピース１〜１０をはめ込む溝１４を両端に設けており、棒状のピース１〜１０を溝１４にはめ込んで組み立てることができるので、棒状のピース１〜１０が安定しており図柄がずれることがなく、また、立てて置くことができ室内を装飾する室内装飾品としての機能に優れている。棒状のピースが角柱状であるから複数面に図柄を付すことができ、一つの組み立て式パズルで最大４つの図柄を完成させることができる。【選択図】図３
2019170991.tif 000002
【特許請求の範囲】
【請求項１】
棒状のピースと棒状のピースをはめ込む収納体とを備え、前記収納体は前記棒状のピースをはめ込む溝を両端に設けており、複数の前記棒状のピースに組み合わせたときに完成する図柄の一部が付されており、前記棒状のピースを前記溝にはめ込んで組み立てながら前記図柄を完成させるようにしたことを特徴とする組み立て式パズル。
【請求項２】
前記棒状のピースは角柱状であり、複数の面に図柄の一部が付されており、組み立て方に応じて複数の図柄を完成できるようにした請求項１に記載の組み立て式パズル。
【発明の詳細な説明】
【技術分野】
【０００１】  本発明は、棒状のピースを溝にはめ込んで組み立てながら図柄を完成させるようにした組み立て式パズルに関する。
【背景技術】
【０００２】  棒パズルは、特許文献１の提案に係る棒パズルが公知である。この棒パズルは、特許文献１の図２に示すように平面板を同方向に一定の幅で切断した複数の棒状のピース２を形成し、特許文献１の図３に示すように、その複数の棒状のピース２を押え縁１にはめ込んで平面板の図柄を完成させるものである。
【先行技術文献】
【特許文献】
【０００３】
【特許文献１】実開平６−４９２号公報
【発明の概要】
【発明が解決しようとする課題】
【０００４】  しかしながら上記の棒パズルによれば、完成させたパズルは平面に置くことはできるが、立てて置くとピースがばらばらになってしまうという問題があり、室内を装飾する室内装飾品としての十分な機能は有していなかった。【０００５】  本発明は、前記のような従来の問題を解決するものであり、棒状のピースを安定させることができ、パズルを立てて置くことが可能となり、室内を装飾する室内装飾品としての機能に優れた組み立て式パズルを提供する。
【課題を解決するための手段】
【０００６】  本発明に係る棒パズルは、上記の目的を達するために、棒状のピースと棒状のピースをはめ込む収納体とを備え、前記収納体は前記棒状のピースをはめ込む溝を両端に設けており、複数の棒状のピースに組み合わせたときに完成する図柄の一部が付されており、前記棒状のピースを前記溝にはめ込んで組み立てながら前記図柄を完成させるようにしたことを特徴とする。【０００７】  前記本発明の組み立て式パズルにおいては棒状のピースが角柱状であり、複数の面に図柄の一部が付されており、組み立て方に応じて複数の図柄が完成できるようにしたことが好ましい。
【発明の効果】
【０００８】  本発明においては、上記の構成により、棒状のピースをはめ込む収納体は棒状のピースをはめ込む溝を両端に設けており、上記棒状のピースを前記溝にはめ込んで組み立てることができるので、棒状のピースが安定しており図柄がずれることがなく、また、立てて置くことができ室内を装飾する室内装飾品としての機能に優れている。
【図面の簡単な説明】
【０００９】
【図１】本発明の組み立て式パズルの直方体の棒状のピースの斜視図である。
【図２】本発明の組み立て式パズルの収納体の斜視図である。
【図３】完成途中の本発明の組み立て式パズルの斜視図である。
【図４】完成後の本発明の組み立て式パズルの斜視図である。
【図５】完成後の本発明の組み立て式パズルの正面図である。
【発明を実施するための形態】
【００１０】  以下、本発明の組み立て式パズルの一実施例を図面を参照して説明する。本図は概念図であり、実際の商品では、図１に示したよりも棒状のピース１〜１０の数が増減することがある。図１は組み立て式パズルの棒状のピースを示している。この棒状のピース１〜１０は例えば木等からなり、直方体であり、複数面に図柄を付す。この棒状のピース１〜１０の複数の図柄は例えば犬、三角形、花、星を施してなる。
【００１１】  図２は組み立て式パズルの収納体２０を示している。この収納体２０は例えば木等からなり、背面板１１と底部１２、底部１２と棒状のピース１〜１０をはめ込む溝１４を両端に設けた側板１５を有しており、側板１５は両端の前面にもなっている。本実施例では背面板１１は側板１５に設けられた溝１３に組み込まれているが、背面板の取り付け方法はこの限りではない。
【００１２】  この実施例における組み立て式パズルは、以上の如き構成からなり、以下その使用例について説明する。本実施例では犬と三角形の２種類の図柄の完成が可能であり、２つの図柄の中から完成させようとする図柄を一つ選び、選んだ図柄の棒状のピース１〜１０を表に向ける。
【００１３】  例えば犬の図柄を選んだ場合について説明する。ばらばらにした犬の図柄の棒状のピース１〜１０を完成状態の犬の図柄になるように並べ直し、図１のように上から棒状のピース１，２，３，４，５，６，７，８，９，１０の順番にする。
【００１４】  収納体２０の右側の溝に棒状のピースの右側が、収納体２０の左側の溝に棒状のピースの左側がくるように、並べ直した棒状のピース１〜１０を収納体２０の溝１４に沿って、底部からピース１０，９，８，７，６，５，４，３，２，１の順番にはめ込んでいくと組み立て式パズル図４が完成する。
【００１５】  上記のように収納体２０の溝１４に沿って棒状のピース１〜１０をはめ込んでいくことは、棒状のピース１〜１０の揺れを防ぎ、棒状のピース１〜１０が前後左右に移動することを妨げ、棒状のピース１〜１０が安定して収納体２０に収納されることを可能としたことで室内を装飾する、室内装飾品としての機能を有する。
【００１６】  上記で示した組み立て式パズルは直方体の棒状のピース１〜１０に最大４面の図柄を付すことができるので、一度完成した組み立て式パズルの棒状のピースを取り外し、上記同様に他の図柄を完成することもでき、一つのパズルで最大４種類の絵柄を楽しむことができる組み立て式パズルである。
【００１７】  本発明は上記のような構成により、棒状のピースをはめ込む収納体は棒状のピースをはめ込む溝を両端に設けており、上記棒状のピースを前記溝にはめ込んで組み立てることができるので、棒状のピースが安定しており図柄がずれることがなく、また、立てて置くことができ室内を装飾する室内装飾品としての機能に優れている。
【００１８】  本実施例では二つの図柄を用いているが、１つでもよいし、複数でもよく、４面全てに図柄を付せば最大４つの図柄を完成させることができる。
【符号の説明】
【００１９】  １〜１０    棒状のピース
１１        背面板
１２        底部
１３，１４  溝
２０        収納体
【図１】
2019170991.tif 000003
【図２】
2019170991.tif 000004
【図３】
2019170991.tif 000005
【図４】
2019170991.tif 000006
【図５】
2019170991.tif 000007